(57)【特許請求の範囲】
【請求項１】
取付け基材に、長尺物を外套状態で保持する揺動開閉自在なバンドの両連結端部が、ボルト・ナットを介して締結されている長尺物取付け具であって、
前記バンドの一方の連結端部に、該連結端部の側面に沿ってナット又はボルトの頭部を一定範囲内で移動自在に保持する保持手段が設けられているとともに、前記バンドの他方の連結端部には、前記保持手段に保持されたナット又はボルトが相対移動範囲内の特定箇所に位置する状態でバンドを閉じ操作したとき、前記ナット又はボルトに螺合されたボルトの頭部又はナットに対して揺動開閉方向から係入自在で、かつ、その係入状態で前記取付け基材とバンドとを相対移動操作したとき、前記バンドの開動を阻止する仮止め手段が設けられている長尺物取付け具。
【請求項２】
前記取付け基材には、吊りボルトに螺合可能なネジ部材が回転自在に設けられている請求項１記載の長尺物取付け具。
【請求項３】
前記仮止め手段が、前記保持手段に保持されたナット又はボルトに螺合されたボルトの頭部又はナットに対する揺動開閉方向からの係入を許容する第１係止孔と、該第１係止孔に連通する状態でボルトの軸部のみの相対移動を許容する第２係止孔とから構成されている請求項１又は２記載の長尺物取付け具。
【請求項４】
前記第１係止孔と第２係止孔との境界相当位置に、該第２係止孔内に位置する状態で締め付け操作されたボルトの頭部又はナットの第１係止孔側への抜け出し移動を接当阻止する抜止め突起が設けられている請求項３記載の長尺物取付け具。
【請求項５】
前記第１係止孔と第２係止孔とが、該第２係止孔が上方に位置する状態で長尺物の荷重作用方向に沿って形成されている請求項３又は４記載の長尺物取付け具。
【請求項６】
前記保持手段には、前記ナット又はボルトの頭部の回転を接当規制する回転規制面が備えられている請求項１〜５のいずれか１項に記載の長尺物取付け具。
【請求項７】
前記保持手段には、ナット又はボルトの頭部を相対移動範囲内の特定箇所に仮止め保持することが可能で、かつ、その仮止め保持状態で一定以上の相対移動力が加えられたときにナット又はボルトの頭部の通過移動を許容する仮止め部が備えられている請求項１〜６のいずれか１項に記載の長尺物取付け具。
【請求項８】
前記取付け基材とバンドの両連結端部とを締結するボルト・ナットが分離操作自在に構成されている請求項１〜７のいずれか１項に記載の長尺物取付け具。
【発明の詳細な説明】
【０００１】
【発明の属する技術分野】
本発明は、水道管、ガス管、空調用冷媒管等の配管や電気ケーブルなどの長尺物を架設する場合に用いられる長尺物取付け具であって、詳しくは、取付け基材に、長尺物を外套状態で保持する揺動開閉自在なバンドの両連結端部が、ボルト・ナットを介して締結されている長尺物取付け具に関する。
【０００２】
【従来の技術】
従来の長尺物取付け具では、天井スラブなどに固定された吊りボルトに螺合可能なネジ部材を備えた取付け基材の取付け端部と、長尺物の長手方向に沿う横軸芯周りで揺動開閉自在なバンドを構成する一対の分割バンド体のうち、前記取付け基材の取付け端部に重合配置される連結端部の各々に取付け孔を貫通形成し、前記取付け基材の取付け端部に形成された取付け孔と一方の分割バンド体の連結端部に形成された取付け孔とに亘ってナットを貫通状態で固着する、換言すれば、ナットを介して取付け基材と一方の分割バンド体とを固定連結するとともに、他方の分割バンド体の連結端部に形成された取付け孔には、前記ナットに螺合可能なボルトを貫通状態で回転のみ自在に取付けていた（例えば、特開平９−７９４３４号公報、特開平９−７９４３３号公報参照）。
【０００３】
【発明が解決しようとする課題】
従来の長尺物取付け具では、前記バンドを構成する両分割バンド体の連結端部にナットとボルトが常設されているため、長尺物を架設する際に両分割バンド体を開き操作しても、ナットとボルトがバンドから脱落することがなく、その面で長尺物の架設作業を容易に行うことができるものの、まだ次の面で改良の余地がある。
即ち、長尺物を架設する場合、まず、天井スラブなどに固定された吊りボルトに、取付け基材のネジ部材を螺合し、この取付け基材にナットを介して固定連結された一方の分割バンド体の弧状受け面に長尺物を載架したのち、他方の分割バンド体を閉じ姿勢に揺動させて、該分割バンド体の連結端部に回転自在に保持されているボルトを、一方の分割バンド体の連結端部に固着されたナットに螺合操作する。
このとき、一方の分割バンド体の弧状受け面に長尺物を押さえ付けている側の片手で他方の分割バンド体を閉じ姿勢に維持したまま、この閉じ姿勢にある分割バンド体のボルトを、一方の分割バンド体のナットに対して他方の手で螺合操作しなければならず、しかも、ボルトの先端がナットに螺合されるまで、片手による長尺物の押さえ付けを維持しなければならないため、そのボルト・ナットの螺合操作に多くの労力と手間を要していた。
特に、高所での長尺物の架設作業では、片手で長尺物を押さえ付けたまま他方の手で螺合操作するといった不安定な作業姿勢が強いられるため、作業能率の低下を招来し易い。
しかも、従来の長尺物取付け具では、取付け基材と一方の分割バンド体とがナットを介して固定連結されているため、物流時に嵩張り易くなるとともに、取付け基材又はバンドを、施工現場の各種条件に応じた他の形状のものと取り替えることができないため、多種類の長尺物取付け具を準備しなければならない不便さがある。
【０００４】
本発明は、上述の実状に鑑みて為されたものであって、その主たる課題は、長尺物の架設作業を無理の無い姿勢で迅速、容易に行うことができ、しかも、そのための構造も、本来装備されているボルト・ナットを有効利用して簡単、安価に構成することのできる長尺物取付け具を提供する点にある。
【０００５】
【課題を解決するための手段】
本発明の請求項１による長尺物取付け具の特徴構成は、取付け基材に、長尺物を外套状態で保持する揺動開閉自在なバンドの両連結端部が、ボルト・ナットを介して締結されているものにおいて、前記バンドの一方の連結端部に、該連結端部の側面に沿ってナット又はボルトの頭部を一定範囲内で移動自在に保持する保持手段が設けられているとともに、前記バンドの他方の連結端部には、前記保持手段に保持されたナット又はボルトが相対移動範囲内の特定箇所に位置する状態でバンドを閉じ操作したとき、前記ナット又はボルトに螺合されたボルトの頭部又はナットに対して揺動開閉方向から係入自在で、かつ、その係入状態で前記取付け基材とバンドとを相対移動操作したとき、前記バンドの開動を阻止する仮止め手段が設けられている点にある。
上記特徴構成によれば、配管等の長尺物を架設する場合、天井スラブや壁面等の固定部に適宜取付けられた取付け基材に、開き姿勢にあるバンドの一方の連結端部を、それら両者の相対移動を許容する状態でボルト・ナットにて仮連結し、このバンドの受け面に長尺物を載架したのち、バンドを閉じ操作する。
このとき、バンドの一方の連結端部に設けた保持手段によって、該連結端部の側面に沿ってナット又はボルトの頭部が一定範囲内で移動自在に保持されているから、ナット又はボルトの抜け落ちを防止することができるばかりでなく、前記保持手段に保持されたナット又はボルトが相対移動範囲内の特定箇所に位置する状態でバンドを閉じ操作すると、前記保持手段側のナット又はボルトに螺合されたボルトの頭部又はナットに対して、バンドの他方の連結端部に設けた仮止め手段が揺動開閉方向から係入し、更に、その係入状態で前記取付け基材とバンドとを連結端部の側面に沿って相対移動操作するだけでバンドの開動が阻止される。
また、前記保持手段に保持されたナット又はボルトが相対移動範囲内の特定箇所に位置していない状態で前記バンドを閉じ操作したときでも、前記取付け基材とバンドとを連結端部の側面に沿って相対移動操作することにより、前記保持手段側のナット又はボルトに螺合されたボルトの頭部又はナットに対して仮止め手段を係入させることができるから、それ以降は、前述と同様に、係入された取付け基材とバンドとを連結端部の側面に沿って更に相対移動操作することにより、バンドの開動を阻止することができる。
つまり、バンドを閉じ操作したのち、該バンドと取付け基材とを連結端部の側面に沿って相対移動操作するだけの簡単な操作をもって、バンドが閉じ姿勢に仮止め保持されるから、従来のように、ボルトの先端がナットに螺合されるまで、長尺物を把持する側の片手でバンドを閉じ姿勢に押さえ続ける必要がなく、両手を自由に使ってボルト・ナットを螺合操作することができる。
しかも、前記バンドを閉じ姿勢で仮止め保持する仮止め手段を構成するにあたっては、取付け基材とバンドの両連結端部とを締結するためのボルト・ナットを利用するから、バンドの一方の連結端部に専用の仮止め用係止突起を設ける必要が無く、部材点数の削減を図りながら仮止め手段を構成することができる。
従って、長尺物の架設作業時に、長尺物を載架したバンドを閉じ姿勢に仮止め保持することができるから、ボルト・ナットの螺合操作を無理の無い姿勢で、かつ、両手を使用して迅速、容易に行うことができ、しかも、そのための仮止め構造も、本来装備されているボルト・ナットを利用して簡素に構成することができるとともに、製造コストの低廉化をも図ることができる。
【０００６】
本発明の請求項２による長尺物取付け具の特徴構成は、前記取付け基材に、吊りボルトに螺合可能なネジ部材が回転自在に設けられている点にある。
上記特徴構成によれば、天井スラブや壁面等の固定部に固定された吊りボルトに取付け基材のネジ部材を螺合して、この取付け基材を介して吊下げ支持されるバンドに長尺物を架設する場合でも、前述の如く、長尺物を載架したバンドを閉じ姿勢で仮止め保持することができるから、高所での架設作業を無理な姿勢を強いられることなく、かつ、両手を自由に使用して能率良く、確実、容易に行うことができる。
【０００７】
本発明の請求項３による長尺物取付け具の特徴構成は、前記仮止め手段が、前記保持手段に保持されたナット又はボルトに螺合されたボルトの頭部又はナットに対する揺動開閉方向からの係入を許容する第１係止孔と、該第１係止孔に連通する状態でボルトの軸部のみの相対移動を許容する第２係止孔とから構成されている点にある。
上記特徴構成によれば、前記バンドの他方の連結端部側に、前記仮止め手段を構成する第１係止孔と第２係止孔とを連通形成するだけで済むから、仮止め手段の構造の簡素化と製造コストの低廉化とを図ることができる。
【０００８】
本発明の請求項４による長尺物取付け具の特徴構成は、前記第１係止孔と第２係止孔との境界相当位置に、該第２係止孔内に位置する状態で締め付け操作されたボルトの頭部又はナットの第１係止孔側への抜け出し移動を接当阻止する抜止め突起が設けられている点にある。
上記特徴構成によれば、長尺部材を架設するバンドに振動等の外力が作用しても、前記第２係止孔内において締め付け操作されたボルトの頭部又はナットが第１係止孔側へ抜け出し移動することを、前記第１係止孔と第２係止孔との境界相当位置に設けられた抜止め突起との接当によって接当阻止することができるから、長尺物の架設作業を無理の無い姿勢で迅速、容易に行うことができるようにしながらも、長尺物を所期の架設状態に確実に維持することができる。
【０００９】
本発明の請求項５による長尺物取付け具の特徴構成は、前記第１係止孔と第２係止孔とが、該第２係止孔が上方に位置する状態で長尺物の荷重作用方向に沿って形成されている点にある。
上記特徴構成によれば、バンド及び該バンドに載架された長尺物の各荷重を利用して、前記保持手段に保持されたナットに螺合されたボルトの軸部、又は、前記保持手段に保持されたボルトの軸部を、上方に位置する第２係止孔内に入り込み保持することができるから、前記第２係止孔内に位置する状態で締め付け操作されたボルトの頭部又はナットが第１係止孔側へ抜け出し移動することを確実に防止することができるとともに、そのための特別な付勢機構を設ける必要がなく、第１係止孔と第２係止孔との配置を上述の如く工夫するだけの簡単、かつ、経済的な改造をもって前述の抜け出し防止効果を達成することができる。
【００１０】
本発明の請求項６による長尺物取付け具の特徴構成は、前記保持手段に、前記ナット又はボルトの頭部の回転を接当規制する回転規制面が備えられている点にある。
上記特徴構成によれば、前記保持手段に摺動自在に保持されるナット又はボルトの頭部の回転を、前記回転規制面との接当によって規制することができるから、ナット又はボルトの頭部の供回りを阻止するための特別な操作が不要となり、長尺物の架設作業の容易化を促進することができる。
【００１１】
本発明の請求項７による長尺物取付け具の特徴構成は、前記保持手段に、ナット又はボルトの頭部を相対移動範囲内の特定箇所に仮止め保持することが可能で、かつ、その仮止め保持状態で一定以上の相対移動力が加えられたときにナット又はボルトの頭部の通過移動を許容する仮止め部が備えられている点にある。
上記特徴構成によれば、前記保持手段に形成された仮止め部によって、ナット又はボルトの頭部を相対移動範囲内の特定箇所に仮止め保持することができるから、バンドを閉じ操作するだけで、バンドの他方の連結端部に設けた仮止め手段が揺動開閉方向から確実に係入する。それ故に、前記取付け基材とバンドの一方の連結端部とを仮連結する状態で、前記保持手段に保持されたナット又はボルトに螺合されたボルトの頭部又はナットと、バンドの他方の連結端部に設けられた仮止め手段の係入位置とが合致するまで、前記取付け基材に対して閉じ操作されたバンドの両連結端部を移動操作する必要が無く、バンドの閉じ姿勢での仮止め作業を迅速、容易に行うことができる。
【００１２】
本発明の請求項８による長尺物取付け具の特徴構成は、前記取付け基材とバンドの両連結端部とを締結するボルト・ナットが分離操作自在に構成されている点にある。
上記特徴構成によれば、取付け基材又はバンドを、施工現場の各種条件に応じた他の形状のものと自由に取り替えることができるとともに、物流時には取付け基材とバンドとに分離してコンパクトに梱包することができる。
【００１３】
【発明の実施の形態】
〔第１実施形態〕
図１〜図６は、天井スラブ等の固定部Ｗに垂下姿勢で固定された吊りボルト１に対して長尺物の一例である配管Ｐを架設する場合に用いられる配管取付け具  （本発明の長尺物取付け具の一例である）を示し、前記吊りボルト１の下端部に対して下方から螺合可能なネジ部材２を回転自在に設けてある板金製の取付け基材３に、前記配管Ｐを外套状態で保持する揺動開閉自在な板金製のバンド４の両連結端部４ａ，４ｂが、ボルト５・ナット６を介して脱着自在に取付けられている。
【００１４】
前記取付け基材３は、図１〜図３に示すように、配管Ｐの軸芯方向視においてほぼ下向き凸状に折曲げ形成されていて、その上端に位置する水平板部３ａには、前記ネジ部材２の正六角筒状の回転操作部２ａを下方から回転自在に挿通可能な円形状の吊下げ孔３ｂが貫通形成されているとともに、上下中間に位置する左右の傾斜板部３ｃには、前記吊下げ孔３ｂよりも大径に構成されたネジ部材２の鍔部２ｂの下面に接当して、該ネジ部材２の下方への抜け落ちを阻止する係止片３ｄが打出し形成され、更に、下端側に位置する左右の垂直板部３ｅには、前記ボルト５の軸部５ａが水平方向から挿通される取付け孔３ｆが形成されている。
また、前記水平板部３ａと左右の傾斜板部３ｃとで囲まれた空間Ｓ１で、かつ、前記ネジ部材２の鍔部２ｂの下面から両傾斜板部３ｃの内面側のボルト接当位置までの範囲が、前記吊りボルト１とネジ部材２とによる配管Ｐの架設高さ調節代に構成されている。
【００１５】
前記バンド４は、図１〜図４に示すように、配管Ｐの外周面に沿った半円弧状の配管受け面４ｄを備えた一対の分割バンド体４Ａ，４Ｂから構成されていて、各分割バンド体４Ａ，４Ｂの一端部を配管Ｐの直径方向（上下方向）に沿って互いに平行に折曲げて、前記取付け基材３の両垂直板部３ｅに重合状態で締結される連結端部４ａ，４ｂを構成するとともに、両分割バンド体４Ａ，４Ｂの他端部側で、かつ、幅方向（配管Ｐの軸芯方向）で互いに位置齟齬する部位、換言すれば、一方の分割バンド体４Ａの他端側の幅方向中央箇所と、他方の分割バンド体４Ｂの他端側の幅方向両側箇所の各々を筒状に折曲げて、両分割バンド体４Ａ，４Ｂを配管Ｐの軸芯方向に沿う水平軸芯Ｘ周りで揺動開閉自在に連結ピン４Ｃで枢支連結するための連結筒部４ｅ，４ｆを構成してある。
換言すれば、前記連結筒部４ｅ，４ｆと連結ピン４Ｃとをもって、両分割バンド体４Ａ，４Ｂを配管Ｐの軸芯方向に沿う水平軸芯Ｘ周りで揺動開閉自在に枢支連結するためのヒンジ機構が構成されている。
【００１６】
そして、前記バンド４を構成する一方の分割バンド体４Ａの連結端部４ａに、該連結端部４ａの外側面に沿ってナット６を上下方向の一定範囲内で移動自在に保持する保持手段Ａが設けられているとともに、前記バンド４を構成する他方の分割バンド体４Ｂの連結端部４ｂには、前記保持手段Ａに保持されたナット６が相対移動範囲内の特定箇所、つまり、上下方向の相対移動範囲内の最下端に位置する状態でバンド４の他方の分割バンド体４Ｂを閉じ操作したとき、前記ナット６に螺合されたボルト５の頭部５ｂに対して揺動開閉方向から係入自在で、かつ、その係入状態で前記取付け基材３とバンド４の両分割バンド体４Ａ，４Ｂとを上下方向に沿って相対移動操作したとき、他方の分割バンド体４Ｂの開動を阻止する仮止め手段Ｂが設けられている。
【００１７】
前記保持手段Ａは、図１〜図４に示すように、一方の分割バンド体４Ａの連結端部４ａに、ボルト５の軸部５ａが前記相対移動範囲の全域に亘って移動自在に挿通される長円形状の取付け孔４ｇを形成するとともに、前記分割バンド体４Ａの連結端部４ａの外側面には、該外側面との間でナット６を上下方向の一定範囲内で移動自在に保持するための収納空間Ｓ２を形成するべく、箱状に折り曲げ形成された板金製の保持部材９を固着して構成されている。
前記保持部材９の外側板部には、ナット６に螺合されたボルト５の軸部５ａが外方に突出移動可能な前記取付け孔４ｇと同一又はほぼ同一形状の窓９ａが貫通形成されているとともに、前記保持部材９の上下両端部には、一方の分割バンド体４Ａの連結端部４ａに形成された凹部に係合する掛止片９ｂと、該掛止片９ｂが凹部に係合されている状態で保持部材９を分割バンド体４Ａの連結端部４ａにスポット溶接等の適宜手段で固着するための取付け片９ｃとが折り曲げ形成されている。
また、前記保持部材９の内面には、ナット６のボルト軸芯方向での移動を連結端部４ａの外側面との間で一定範囲内に規制しながら上下方向に沿って摺接案内する摺接案内面９ｄと、ナット６の左右両側を上下方向に沿って摺接案内しながら該ナット６の回転を接当規制する左右一対の回転規制面９ｅとが形成されている。
【００１８】
前記仮止め手段Ｂは、図１〜図３、図６に示すように、バンド４を構成する他方の分割バンド体４Ｂの連結端部４ｂに、前記保持部材９に保持されたナット６に螺合されたボルト５の頭部５ｂに対する揺動開閉方向からの係入を許容する大径の第１係止孔１０と、該第１係止孔１０に連通する状態でボルト５の軸部５ａのみの相対移動を許容する第２係止孔１１とから構成されているとともに、この第１係止孔１０と第２係止孔１１とが、該第２係止孔１１が上方に位置する状態で長尺物の荷重作用方向（上下方向）に沿って形成され、更に、他方の分割バンド体４Ｂの連結端部４ｂのうち、第１係止孔１０と第２係止孔１１との境界相当位置には、該第２係止孔１１内に位置する状態で締め付け操作されたボルト５の頭部５ｂの第１係止孔１０側への抜け出し移動を接当阻止する抜止め突起１２が一体的に打ち出し形成されている。
前記抜止め突起１２の突出高さは、前記保持部材９に保持されているナット６に螺合されたボルト５が締め付け操作前にあるとき、換言すれば、ナット６にボルト５の軸部５ａの先端が螺合された仮止め状態にあるとき、ナット６とボルト５の頭部５ｂとの間での融通代によってボルト５の頭部５ｂの通過移動を許容する高さに構成されている。
【００１９】
そして、図２、図６の（イ）に示すように、長尺物の一例である配管Ｐを架設する場合、開き操作されたバンド４の両分割バンド体４Ａ，４Ｂのうち、一方の分割バンド体４Ａの連結端部４ａと取付け基材３の垂直板部３ｅとを、前記取付け基材３の取付け孔３ｆと連結端部４ａの取付け孔４ｇとに亘って挿通されたボルト５と前記保持手段Ａの保持部材９内に保持されたナット６とを介して仮連結したのち、天井スラブや壁面等の固定部Ｗに固定された吊りボルト１に、取付け基材３に回転のみ自在に保持されたネジ部材２を螺合する。
【００２０】
次に、図３、図６の（イ）、（ロ）に示すように、前記一方の分割バンド体４Ａの配管受け面４ｄに配管Ｐを載架したのち、他方の分割バンド体４Ｂを水平軸芯Ｘ周りで閉じ操作する。
このとき、前記保持部材９に保持されたナット６が相対移動範囲内の特定箇所である最下端箇所に位置する場合には、他方の分割バンド体４Ｂを閉じ操作するだけで、前記保持部材９側のナット６に螺合されたボルト５の頭部５ｂに対して、他方の分割バンド体４Ｂの連結端部４ｂに形成された仮止め手段Ｂの第１係止孔１０が揺動開閉方向から係入する。
【００２１】
しかし、通常は、吊りボルト１側の取付け基材３にボルト５、ナット６を介して仮連結された一方の分割バンド体４Ａに、バンド４自体の荷重と架設された配管Ｐの荷重とが作用しているため、前記保持部材９に保持されたナット６が相対移動範囲内の最上端箇所に位置する。この状態では、他方の分割バンド体４Ｂを水平軸芯Ｘ周りで閉じ操作しても、該分割バンド体４Ｂの連結端部４ｂの先端側がボルト５の頭部５ｂに接当するため、その接当状態のまま前記取付け基材３とバンド４とを連結端部４ａ，４ｂの側面に沿って上下方向に相対移動操作する、つまり、吊りボルト１に固定された取付け基材３に対して、バンド４全体を配管Ｐと共に少し持ち上げ操作することにより、前記保持手段Ａ側のナット６に螺合されたボルト５の頭部５ｂに対して仮止め手段Ｂの第１係止孔１０を係入させることができる。
【００２２】
そして、前記ボルト５の頭部５ｂに対して仮止め手段Ｂの第１係止孔１０が係入されると、図６の（ハ）に示すように、その係入状態で前記取付け基材３とバンド４とを連結端部４ａ，４ｂの側面に沿って上下方向に相対移動操作する、つまり、吊りボルト１に固定された取付け基材３に対して、バンド４全体を配管Ｐと共にそれらの荷重を利用して下降操作させることにより、ボルト５の軸部５ａが仮止め手段Ｂの第２係止孔１１内に係入して、バンド４の開動が阻止される。それ故に、バンド４を閉じ操作したのち、該バンド４と取付け基材３とを連結端部４ａ，４ｂの側面に沿って上下方向に相対移動操作するだけの簡単な操作をもって、バンド４が閉じ姿勢に仮止め保持されるから、ボルト５の先端がナット６に螺合されるまで、配管Ｐを把持する側の片手でバンド４を閉じ姿勢に押さえ続ける必要がなく、両手を自由に使ってボルト５・ナット６を螺合操作することができる。
【００２３】
また、前記取付け基材３の垂直板部３ｅとバンド４の両連結端部４ａ，４ｂとを締結するボルト５・ナット６が分離操作自在に構成されているから、取付け基材３又はバンド４を、施工現場の各種条件に応じた他の形状のものと自由に取り替えることができるとともに、物流時には取付け基材３とバンド４とに分離してコンパクトに梱包することができる。
【００２４】
〔第２実施形態〕
図７（イ),（ロ）は、前記保持手段Ａの別の実施形態を示し、これは、前記第１実施形態で説明した保持部材９の外側板部に形成された窓９ａの周縁部分で、かつ、前記仮止め手段Ｂを構成する第１係止孔１０と第２係止孔１１との境界に相当する部位には、該保持部材９内に摺動自在に収納されたナット６を相対移動範囲内の特定箇所に仮止め保持することが可能で、かつ、その仮止め保持状態で一定以上の相対移動力が加えられたときにナット６の通過移動を許容する仮止め部９ｆが、収納空間Ｓ２側に打ち出し形成されている。
【００２５】
前記保持手段Ａに形成された仮止め部９ｆによって、ナット６を上下方向に沿う相対移動範囲内の特定箇所である最下端位置に仮止め保持することができるから、バンド４を構成する他方の分割バンド体４Ｂを水平軸芯Ｘ周りで閉じ操作するだけで、保持手段Ａ側のナット６に螺合されたボルト５の頭部５ｂに対して、他方の分割バンド体４Ｂの連結端部４ｂに設けられた仮止め手段Ｂの第１係止孔１０が揺動開閉方向から確実に係入する。
それ故に、前記取付け基材３とバンド４の一方の連結端部４ａとを仮連結する状態で、前記保持部材９側のナット６に螺合されたボルト５の頭部５ｂと、バンド４の他方の連結端部４ｂに設けられた仮止め手段Ｂの係入位置（第１係止孔１０の形成位置）とが合致するまで、前記吊りボルト１に固定された取付け基材３に対して、閉じ操作されたバンド４の両連結端部４ａ，４ｂを上下方向に移動操作する必要が無く、バンド４の閉じ姿勢での仮止め作業を迅速、容易に行うことができる。
尚、その他の構成は、第１実施形態で説明した構成と同一であるから、同一の構成箇所には、第１実施形態と同一の番号を付記してそれの説明は省略する。
【００２６】
〔第３実施形態〕
図８、図９（イ）〜（ハ）は、前記保持手段Ａ及び仮止め手段Ｂの別の実施形態を示し、これは、前記保持手段Ａの保持部材９に形成される窓９ａを、架設される配管Ｐの軸芯と平行な水平方向に沿って横向き姿勢で形成するとともに、他方の分割バンド体４Ｂの連結端部４ｂに貫通形成される前記仮止め手段Ｂの第１係止孔１０及び第２係止孔１１を、前記窓９ａと同様に、架設される配管Ｐの軸芯と平行な水平方向に沿って横向き姿勢で連通形成してある。
【００２７】
そのため、当該第３実施形態においては、長尺物の一例である配管Ｐを架設する場合、開き操作されたバンド４の両分割バンド体４Ａ，４Ｂのうち、一方の分割バンド体４Ａの連結端部４ａと取付け基材３の垂直板部３ｅとを、前記取付け基材３の取付け孔３ｆと連結端部４ａの取付け孔４ｇとに亘って挿通されたボルト５と前記保持手段Ａの保持部材９内に保持されたナット６とを介して仮連結したのち、天井スラブや壁面等の固定部Ｗに固定された吊りボルト１に、取付け基材３に回転のみ自在に保持されたネジ部材２を螺合する。
【００２８】
次に、図９の（イ）、（ロ）に示すように、前記一方の分割バンド体４Ａの配管受け面４ｄに配管Ｐを載架したのち、他方の分割バンド体４Ｂを水平軸芯Ｘ周りで閉じ操作する。
このとき、前記保持部材９に保持されたナット６が相対移動範囲内の特定箇所である左右の一端部に位置する場合には、他方の分割バンド体４Ｂを閉じ操作するだけで、前記保持部材９側のナット６に螺合されたボルト５の頭部５ｂに対して、他方の分割バンド体４Ｂの連結端部４ｂに形成された仮止め手段Ｂの第１係止孔１０が揺動開閉方向から係入する。
【００２９】
しかし、前記保持部材９に保持されたナット６が相対移動範囲内の左右方向の他端部に位置する場合では、他方の分割バンド体４Ｂを水平軸芯Ｘ周りで閉じ操作しても、該分割バンド体４Ｂの連結端部４ｂがボルト５の頭部５ｂに接当するだけであるため、その接当状態のまま前記取付け基材３とバンド４とを連結端部４ａ，４ｂの側面に沿って左右方向に相対移動操作する、つまり、吊りボルト１に固定された取付け基材３に対して、バンド４全体を配管Ｐと共に少し左右方向に移動操作することにより、前記保持手段Ａ側のナット６に螺合されたボルト５の頭部５ｂに対して仮止め手段Ｂの第１係止孔１０を係入させることができる。
【００３０】
そして、前記ボルト５の頭部５ｂに対して仮止め手段Ｂの第１係止孔１０が係入されると、図９の（ハ）に示すように、その係入状態で前記取付け基材３とバンド４とを連結端部４ａ，４ｂの側面に沿って左右方向に相対移動操作する、つまり、吊りボルト１に固定された取付け基材３に対して、バンド４全体を配管Ｐと共に左右方向に移動操作させることにより、ボルト５の軸部５ａが仮止め手段Ｂの第２係止孔１１内に係入して、バンド４の開動が阻止される。
【００３１】
前記ボルト５の軸部５ａが仮止め手段Ｂの第２係止孔１１内の所定位置に係入された状態では、前記バンド４を構成する両分割バンド体４Ａ，４Ｂの連結端部４ａ，４ｂと取付け基材３の垂直板部３ｅとが、それらの左右方向（水平方向）中心位置が合致又はほぼ合致する状態で重合するように構成する。
【００３２】
尚、その他の構成は、第１実施形態で説明した構成と同一であるから、同一の構成箇所には、第１実施形態と同一の番号を付記してそれの説明は省略する。
【００３３】
〔第４実施形態〕
図１０は、前記バンド４の別の実施形態を示し、これは、前記保持手段Ａを構成する保持部材9 が固着されている第１分割バンド体４Ａと、前記仮止め手段Ｂを構成する第１係止孔１０及び第２係止孔１１が貫通形成されている第２分割バンド体４Ｂと、該第２分割バンド体４Ｂの下端部を水平軸芯Ｘ周りで揺動開閉自在に連結ピン４Ｃを介して枢支する第３分割バンド体４Ｄと、前記第１分割バンド体４Ａと第３分割バンド体４Ｄとの間に回転自在に架設されるローラー４Ｅとから構成されている。
前記ローラー４Ｅは、長尺物の一例である配管Ｐを回転軸芯方向の中央位置で安定的に載架すべく、回転軸芯方向の中央側ほど小径となる鼓状の外周面に構成されている。
尚、その他の構成は、第１実施形態で説明した構成と同一であるから、同一の構成箇所には、第１実施形態と同一の番号を付記してそれの説明は省略する。
【００３４】
〔その他の実施形態〕
（１）  上述の第１実施形態では、前記バンド４の一方の連結端部４ａに、該連結端部４ａの側面に沿ってナット６を一定範囲内で移動自在に保持する保持手段Ａを設けるとともに、前記バンド４の他方の連結端部４ｂには、前記保持手段Ａに保持されたナット６が相対移動範囲内の特定箇所に位置する状態でバンド４を閉じ操作したとき、前記ナット６に螺合されたボルト５の頭部５ｂに対して揺動開閉方向から係入自在で、かつ、その係入状態で前記取付け基材３とバンド４とを相対移動操作したとき、前記バンド４の開動を阻止する仮止め手段Ｂを設けて実施したが、これとは逆に、前記バンド４の一方の連結端部４ａに、該連結端部４ａの側面に沿ってボルト５の頭部５ｂを一定範囲内で移動自在に保持する保持手段Ａを設けるとともに、前記バンド４の他方の連結端部４ｂには、前記保持手段Ａに保持されたボルト５が相対移動範囲内の特定箇所に位置する状態でバンド４を閉じ操作したとき、前記ボルト５に螺合されたナット６に対して揺動開閉方向から係入自在で、かつ、その係入状態で前記取付け基材３とバンド４とを相対移動操作したとき、前記バンド４の開動を阻止する仮止め手段Ｂを設けて実施してもよい。
（２）  上述の第１実施形態では、前記取付け基材３を、天井スラブや壁面等の固定部Ｗに固定された吊りボルト１に螺合したが、天井スラブや壁面等の固定部Ｗに固定された取付けブラケットに取付けて実施してもよく、更に、前記取付け基材３を天井スラブや壁面等の固定部Ｗに直接取付けて実施してもよい。
それ故に、前記取付け基材３の形状も各種取付け条件に応じて適宜変更可能である。
（３）  上述の第１実施形態では、前記取付け基材３の垂直板部３ｅとバンド４の両連結端部４ａ，４ｂとを締結するためのボルト５・ナット６を分離操作自在に構成したが、このボルト５・ナット６にて取付け基材３の垂直板部３ｅとバンド４の一方の連結端部４ａとを仮連結したのちに、前記ナット６から突出するボルト５の先端に抜止めピン等の抜止め部材を脱着自在に取付けてもよく、また、ナット６から突出するボルト５の先端部を外方に突出変形させたり、或いは、ナット６から突出するボルト５の先端部に抜止め部材を溶接や接着剤等の適宜接合手段で固着して、ボルト５・ナット６を分離操作不能に構成して実施してもよい。
（４）  上述の第１実施形態では、前記保持手段Ａを、箱状に構成された保持部材９から構成したが、この保持手段Ａとしては、前記バンド４の一方の連結端部４ａに、該連結端部４ａの側面に沿ってナット６又はボルト５の頭部５ｂを一定範囲内で移動自在に保持することのできるものであれば、如何なる構造のものを用いて実施してもよい。
（５）  上述の第１実施形態では、前記仮止め手段Ｂを、前記バンド４の他方の連結端部４ｂに貫通形成された第１係止孔１０及び第２係止孔１１から構成したが、この構成に限定されるものではなく、前記保持手段Ａに保持されたナット６又はボルト５が相対移動範囲内の特定箇所に位置する状態でバンド４を閉じ操作したとき、前記ナット６又はボルト５に螺合されたボルト５の頭部５ｂ又はナット６に対して揺動開閉方向から係入自在で、かつ、その係入状態で前記取付け基材３とバンド４とを相対移動操作したとき、前記バンド４の開動を阻止することのできるものであれば、如何なる構造のものを用いて実施してもよい。
【図面の簡単な説明】
【図１】本発明の長尺物取付け具の第１実施形態を示し、
（イ）は、全体の分解斜視図
（ロ）は、取付け基材と一方の分割バンド体とを仮連結したときの斜視図
【図２】バンドの閉じ姿勢を示す断面正面図
【図３】バンドの開き姿勢を示す断面正面図
【図４】バンドの閉じ姿勢を示す側面図
【図５】配管架設作業工程を示し、
（イ）は、他方の分割バンド体を閉じ操作したときの断面正面図
（ロ）は、取付け基材に対してバンドを下降操作したときの断面正面図
【図６】配管架設作業工程を示し、
（イ）は、バンドの開き姿勢を示す側面図
（ロ）は、他方の分割バンド体を閉じ操作したときの側面図
（ハ）は、取付け基材に対してバンドを下降操作したときの側面図
【図７】本発明の長尺物取付け具の第２実施形態を示し、
（イ）は、ナットを特定箇所に仮止め保持したときの一部切り欠き側面図
（ロ）は、取付け基材に対してバンドを下降操作したときの一部切り欠き側面図
【図８】本発明の長尺物取付け具の第３実施形態を示す一部切り欠き側面図
【図９】配管架設作業工程を示し、
（イ）は、バンドの開き姿勢を示す側面図
（ロ）は、他方の分割バンド体を閉じ操作したときの側面図
（ハ）は、取付け基材に対してバンドを左右方向に操作したときの側面図
【図１０】本発明の長尺物取付け具の第４実施形態を示す断面正面図
【符号の説明】
Ａ      保持手段
Ｂ      仮止め手段
Ｐ      長尺物（配管）
１    吊りボルト
２    ネジ部材
３      取付け基材
４      バンド
４ａ    連結端部
４ｂ    連結端部
５      ボルト
５ａ    軸部
５ｂ    頭部
９ｅ    回転規制面
１０    第１係止孔
１１  第２係止孔
１２  抜止め突起
【図１】
0004245210.tif 000002
【図２】
0004245210.tif 000003
【図３】
0004245210.tif 000004
【図４】
0004245210.tif 000005
【図５】
0004245210.tif 000006
【図６】
0004245210.tif 000007
【図７】
0004245210.tif 000008
【図８】
0004245210.tif 000009
【図９】
0004245210.tif 000010
【図１０】
0004245210.tif 000011